(57)【要約】【課題】指令管制システムのコンピュータを外部との通信接続させないまま、公衆で利用されている機能拡張の早い地図情報を閲覧しつつ、迅速な指令を行う。【解決手段】表示された地図上の所定地点の指定を受け付け、コード生成指示に基づいて所定地点の位置情報を取得し、位置情報に対応する地図の表示に用いられるコード情報を生成する。【選択図】図１
2019164533.tif 000002
【特許請求の範囲】
【請求項１】
表示された地図上の所定地点の指定を受け付ける地点指定受付部と、
コード生成指示に基づいて前記所定地点の位置情報を取得する位置情報取得部と、
前記位置情報に対応する地図の表示に用いられるコード情報を生成するコード情報生成部と、
を備えるコード情報生成装置。
【請求項２】
前記コード情報生成部は、前記コード情報の送信先装置の地図情報表示機能において前記位置情報を基準とする所定範囲の地図情報を表示する際に用いる前記コード情報を生成する
請求項１に記載のコード情報生成装置。
【請求項３】
外部との通信接続の無い指令管制システムに接続され前記地図情報を表示する指令台端末の内部に備わり、
外部と通信接続した前記送信先装置を示す地図表示装置に前記コード情報を出力する出力部と、
を備える請求項２に記載のコード情報生成装置。
【請求項４】
外部と通信接続され前記地図情報を表示する地図表示装置の内部に備わり、
外部との通信接続の無い指令管制システムに接続された前記送信先装置を示す指令台端末に前記コード情報を出力する出力部と、
を備える請求項２に記載のコード情報生成装置。
【請求項５】
コード情報生成装置が、
表示された地図上の所定地点の指定を受け付ける地点指定受付部と、
コード生成指示に基づいて前記所定地点の位置情報を取得する位置情報取得部と、
前記位置情報に対応する地図の表示に用いられるコード情報を生成するコード情報生成部と、
を備え、
地図表示装置が、
前記コード情報を読み込んで、当該コード情報に含まれる位置情報に基づく地図情報を表示する地図情報表示部と、
を備える指令管制システム。
【請求項６】
前記コード情報生成部は、前記コード情報の送信先装置の地図情報表示機能において前記位置情報を基準とする所定範囲の地図情報を表示する際に用いる前記コード情報を生成する
請求項５に記載の指令管制システム。
【請求項７】
外部との通信接続の無い指令管制システムに接続され前記地図情報を表示する指令台端末の内部に備わり、
外部と通信接続した前記送信先装置を示す地図表示装置に前記コード情報を出力する出力部と、
を備える請求項６に記載の指令管制システム。
【請求項８】
外部と通信接続され前記地図情報を表示する地図表示装置の内部に備わり、
外部との通信接続の無い指令管制システムに接続された前記送信先装置を示す指令台端末に前記コード情報を出力する出力部と、
を備える請求項６に記載の指令管制システム。
【請求項９】
表示された地図上の所定地点の指定を受け付け、
コード生成指示に基づいて前記所定地点の位置情報を取得し、
前記位置情報に対応する地図の表示に用いられるコード情報を生成する
コード情報生成方法。
【請求項１０】
コード情報生成装置のコンピュータを、
表示された地図上の所定地点の指定を受け付ける地点指定受付手段、
コード生成指示に基づいて前記所定地点の位置情報を取得する位置情報取得手段、
前記位置情報に対応する地図の表示に用いられるコード情報を生成するコード情報生成手段、
として機能させるプログラム。
【発明の詳細な説明】
【技術分野】
【０００１】
本発明は、コード情報生成装置、指令管制システム、コード情報生成方法、プログラムに関する。
【背景技術】
【０００２】
消防や警察等の組織は指令管制システムを有する。指令管制システムは端末を備え端末上に地図を表示して組織末端に指令を行う。関連する技術が特許文献１に開示されている。
【先行技術文献】
【特許文献】
【０００３】
【特許文献１】特開２００６−１１２９８１号公報
【発明の概要】
【発明が解決しようとする課題】
【０００４】
上述の特許文献１の技術では携帯電話が二次元バーコードを解析して目的地の位置座標等の情報を得ることが記載されている。
【０００５】
ところで指令管制システムのコンピュータは外部との通信接続を有さずに自システム内で閉じたネットワークにのみ接続されている。そのような指令管制システムを有する指令センタにおいても、指令管制システムのコンピュータを外部との通信接続させないまま、公衆で利用されている機能拡張の早い地図情報を閲覧しつつ、迅速な指令を行うことが求められている。
【０００６】
そこでこの発明は、上述の課題を解決するコード情報生成装置、指令管制システム、コード情報生成方法、プログラムを提供することを目的としている。
【課題を解決するための手段】
【０００７】
本発明の第１の態様によれば、コード情報生成装置は、表示された地図上の所定地点の指定を受け付ける地点指定受付部と、コード生成指示に基づいて前記所定地点の位置情報を取得する位置情報取得部と、前記位置情報に対応する地図の表示に用いられるコード情報を生成するコード情報生成部と、を備えることを特徴とする。
【０００８】
本発明の第２の態様によれば、指令管制システムは、コード情報生成装置が、表示された地図上の所定地点の指定を受け付ける地点指定受付部と、コード生成指示に基づいて前記所定地点の位置情報を取得する位置情報取得部と、前記位置情報に対応する地図の表示に用いられるコード情報を生成するコード情報生成部と、を備え、地図表示装置が、前記コード情報を読み込んで、当該コード情報に含まれる位置情報に基づく地図情報を表示する地図情報表示部と、を備えることを特徴とする。
【０００９】
本発明の第３の態様によれば、コード情報生成方法は、表示された地図上の所定地点の指定を受け付け、コード生成指示に基づいて前記所定地点の位置情報を取得し、前記位置情報に対応する地図の表示に用いられるコード情報を生成することを特徴とする。
【００１０】
本発明の第４の態様によれば、コード情報生成装置のコンピュータを、表示された地図上の所定地点の指定を受け付ける地点指定受付手段、コード生成指示に基づいて前記所定地点の位置情報を取得する位置情報取得手段、前記位置情報に対応する地図の表示に用いられるコード情報を生成するコード情報生成手段、として機能させることを特徴とする。
【発明の効果】
【００１１】
本発明によれば、指令管制システムのコンピュータを外部との通信接続させないまま、公衆で利用されている機能拡張の早い地図情報を閲覧しつつ、迅速な指令を行うことができる。
【図面の簡単な説明】
【００１２】
【図１】本発明の第１の実施形態による指令管制システムの構成を示す図である。
【図２】本発明の第１の実施形態による指令台端末のハードウェア構成図である。
【図３】本発明の第１の実施形態による指令台端末の機能ブロック図である。
【図４】本発明の第１の実施形態による携帯端末のハードウェア構成図である。
【図５】本発明の第１の実施形態による携帯端末の機能ブロック図である。
【図６】本発明の第１の実施形態による指令台端末が表示する画面の一例を示す図である。
【図７】本発明の第１の実施形態指令台端末及び携帯端末の処理フローを示す図である。
【図８】本発明の第１の実施形態による指令台端末の最小構成を示す図である。
【図９】本発明の第１の実施形態による携帯端末の最小構成を示す図である。
【図１０】本発明の第２の実施形態による指令管制システムの構成を示す図である。
【図１１】本発明の第２の実施形態による指令台端末のハードウェア構成図である。
【図１２】本発明の第２の実施形態による指令台端末の機能ブロック図である。
【図１３】本発明の第２の実施形態による通報端末のハードウェア構成図である。
【図１４】本発明の第２の実施形態による通報端末の機能ブロック図である。
【図１５】本発明の第２の実施形態による通報端末が表示する画面の一例を示す図である。
【図１６】本発明の第２の実施形態による指令台端末及び通報端末の処理フローを示す図である。
【図１７】本発明の第２の実施形態による指令台端末の最小構成を示す図である。
【図１８】本発明の第２の実施形態による通報端末の最小構成を示す図である。
【発明を実施するための形態】
【００１３】
以下、本発明について図面を参照して説明する。
【００１４】
（第１の実施形態）
まず、第１の実施形態について説明する。
図１は、同実施形態による指令管制システム１００の構成を示す図である。
図示するように、指令管制システム１００は、指令台端末１（コード情報生成装置）と、携帯端末２（地図表示装置）とを備える。指令管制システム１００は、消防や警察等において通報者からの通報を受け付けるシステムである。
【００１５】
指令台端末１は、消防や警察等の指令センタの指令台に設置され、通報者からの通報に基づいて事案情報を登録するコンピュータである。事案情報は、通報に関する情報であり、選別した出動車両、災害点の位置情報、対象者の氏名、年齢、性別、病歴、電話番号等の個人情報が含まれる。指令台端末１は、個人情報の流出を防止するため、インターネット網等の公衆通信網（外部）との通信接続が無い。また、指令台端末１は、予めインストールされている地図を表示するアプリケーションソフトウェア（以下、「地図ソフト」と称する。）を実行して地図情報を表示する。
【００１６】
携帯端末２は、消防隊員や警察官が持ち運びする例えば携帯電話機やスマートフォンやタブレット端末等の携帯可能な端末である。携帯端末２は、インターネット網等の公衆通信網（外部）と通信接続し、インターネットを介して提供される地図を表示するサービス（以下、「地図サービス」と称する。）を利用して地図情報を表示する。地図サービスは、公衆で利用されている機能拡張の早い地図情報を提供する。
【００１７】
図２は、同実施形態による指令台端末１のハードウェア構成図である。
この図が示すように指令台端末１はＣＰＵ（Central Processing Unit）１０１、ＲＯＭ（Read Only Memory）１０２、ＲＡＭ（Random Access Memory）１０３、大容量記憶装置１０４、通信モジュール１０５、入力装置１０６、表示装置１０７等の各ハードウェアを備えたコンピュータである。入力装置１０６は、マウス、タッチパネル、キーボード等であり、これらを複数または全て備えていてもよい。表示装置１０７は、有機ＥＬ（Electro-Luminescence）ディスプレイや液晶ディスプレイ等である。
【００１８】
図３は、同実施形態による指令台端末１の機能ブロック図である。
指令台端末１は電源が投入されると起動し、予め記憶するプログラムを実行する。これにより指令台端末１には、制御部１１、記憶部１２、入力部１３、地点指定受付部１４、位置情報取得部１５、コード情報生成部１６、出力部１７の機能構成を備える。
【００１９】
制御部１１は、指令台端末１を統括して制御する。
記憶部１２は、種々の情報を記憶する。例えば、記憶部１２は、通報された事案情報を記憶する。
入力部１３は、事案情報やコード生成指示等の入力を受け付ける。コード生成指示は、位置情報に対応する地図の表示に用いられるコード情報を生成する指示入力である。
【００２０】
地点指定受付部１４は、表示された地図上の所定地点の指定を受け付ける。
位置情報取得部１５は、コード生成指示に基づいて所定地点の位置情報を取得する。
【００２１】
コード情報生成部１６は、位置情報に対応する地図の表示に用いられるコード情報を生成する。より具体的には、コード情報生成部１６は、コード情報の送信先装置の地図情報表示機能において位置情報を基準とする所定範囲の地図情報を表示する際に用いるコード情報を生成する。
出力部１７は、外部と通信接続した携帯端末２にコード情報を出力する。
【００２２】
図４は、同実施形態による携帯端末２のハードウェア構成図である。
この図が示すように携帯端末２はＣＰＵ２０１、ＲＯＭ２０２、ＲＡＭ２０３、大容量記憶装置２０４、通信モジュール２０５、入力装置２０６、表示装置２０７、カメラ２０８等の各ハードウェアを備えたコンピュータである。入力装置２０６は、タッチパネル、操作ボタン等であり、これらを複数または全て備えていてもよい。表示装置２０７は、有機ＥＬディスプレイや液晶ディスプレイ等である。
【００２３】
図５は、同実施形態による携帯端末２の機能ブロック図である。
携帯端末２は電源が投入されると起動し、予め記憶するプログラムを実行する。これにより携帯端末２には、制御部２１、記憶部２２、通信部２３、地図情報表示部２４の機能構成を備える。
【００２４】
制御部２１は、携帯端末２を統括して制御する。
記憶部２２は、種々の情報を記憶する。
通信部２３は、外部と通信接続する。
地図情報表示部２４は、コード情報を読み込んで、当該コード情報に含まれる位置情報に基づく地図情報を表示する。
【００２５】
続いて、同実施形態による指令管制システム１００の動作について説明する。
まず、指令センタにおいて、指令台端末１の操作者が通報者からの通報を受け付け、通報に基づいて選別した出動車両、災害点（所定地点）の住所、対象者の氏名、性別、年齢、病歴、電話番号等の事案情報を指令台端末１に入力して登録する。指令台端末１は、入力された住所に基づいて災害点の位置を示す地図情報を表示する。
【００２６】
消防隊員や警察官は携帯端末２に表示される地図情報を参照して災害点まで向かうため、携帯端末２に対しても災害点の位置情報を入力する必要がある。しかしながら、指令台端末１と携帯端末２とは通信接続していないため、通信による位置情報の受け渡しができない。また、携帯端末２に位置情報を手動で入力するのは手間がかかる。よって、本実施形態における指令管制システム１００では、コード情報を用いて災害点の位置情報を指令台端末１から携帯端末２に出力する。
【００２７】
図６は、同実施形態による指令台端末１が表示する画面の一例を示す図である。
指令台端末１は、操作者からのコード生成指示に基づいて、災害点の位置情報に対応する地図の表示に用いられるコード情報を生成して表示する。コード情報は、例えばＱＲ（Quick Response）コード（登録商標）等の二次元バーコードである。本例では、災害点を示すマークＭＫ１が表示された地図ＭＰ１の右上部にコード情報ＣＤ１が表示されている。地図ＭＰ１は、災害点を中心とした周辺の地図情報、つまり災害点を基準とする所定範囲の地図情報である。
【００２８】
なお、指令台端末１の地図情報表示機能は予めインストールされた地図ソフトであるのに対し、携帯端末２の地図情報表示機能はインターネットを介して提供される地図サービスである。つまり、指令台端末１の地図情報表示機能と携帯端末２の地図情報表示機能とは異なる。よって、指令台端末１は、携帯端末２の地図情報表示機能において位置情報を基準とする所定範囲の地図情報を表示する際に用いるコード情報を生成する。例えば位置情報は緯度及び経度である。また、指令台端末１は、位置情報に加えて必要な他の事案情報もコード情報に含めてもよい。
【００２９】
携帯端末２は、指令台端末１に表示されたコード情報ＣＤ１をカメラ２０８で撮像して読み込む。これにより、通信接続することなく指令台端末１から携帯端末２に位置情報を容易に出力することができる。携帯端末２は、読み込んだコード情報に含まれる位置情報に基づく地図情報を表示する。具体的には、携帯端末２は、インターネットを介して提供される地図サービスに位置情報を入力して、災害点を基準とする所定範囲の地図情報を表示する。これにより、消防隊員や警察官は携帯端末２に表示された地図情報を閲覧しながら災害点へ向かうことができる。
【００３０】
図７は、同実施形態による指令台端末１及び携帯端末２の処理フローを示す図である。
次に指令管制システム１００の処理フローについて順を追って説明する。
まず指令台端末１におけるコード情報の出力処理について説明する。
【００３１】
指令台端末１の入力部１３は、事案情報の入力を受け付ける（ステップＳ１０１）。記憶部１２は、入力された事案情報を記憶する。
【００３２】
続いて、地点指定受付部１４が、表示された地図上の災害点の指定を受け付ける（ステップＳ１０２）。例えば、地点指定受付部１４は、災害点の住所の入力を受け付け、入力された住所に基づいて地図上における災害点を特定する。そして、地点指定受付部１４は、特定した災害点を示す地図情報を表示する。例えば、地点指定受付部１４は、地図ソフトに災害点の住所を入力して、災害点を基準とする所定範囲の地図情報を表示する。
【００３３】
続いて、位置情報取得部１５は、コード生成指示を受け付けたか否かを判定する（ステップＳ１０３）。位置情報取得部１５は、コード生成指示を受け付けていない場合、ステップＳ１０３の処理を再度実行する。一方、位置情報取得部１５は、コード生成指示を受け付けた場合、災害点の位置情報を取得する（ステップＳ１０４）。例えば、位置情報取得部１５は、地図ソフトから災害点の緯度経度を取得する。
【００３４】
コード情報生成部１６は、取得した位置情報及び必要な事案情報を含むコード情報を生成する。（ステップＳ１０５）。例えば、コード情報生成部１６は、位置情報及び事案情報を示すテキスト情報をコードに変換する。その後、出力部１７は、コード情報生成部１６が生成したコード情報を表示する（ステップＳ１０６）。
【００３５】
続いて携帯端末２におけるコード情報の入力処理について説明する。
携帯端末２の地図情報表示部２４は、指令台端末１に表示されたコード情報を読み込む（ステップＳ２０１）。続いて、地図情報表示部２４は、読み込んだコード情報に含まれる位置情報に基づく地図情報を表示する（ステップＳ２０２）。例えば、地図情報表示部２４は、インターネットを介して地図サービスに位置情報を入力し、災害点を基準とする所定範囲の地図情報を表示する。また、地図情報表示部２４は、地図情報とともにコード情報に含まれる他の事案情報を表示してもよい。その後、処理を終了する。
【００３６】
図８は、同実施形態による指令台端末１の最小構成を示す図である。同実施形態による指令台端末１は少なくとも地点指定受付部１４、位置情報取得部１５、コード情報生成部１６の構成を備えればよい。
地点指定受付部１４は、表示された地図上の所定地点の指定を受け付ける。
位置情報取得部１５は、コード生成指示に基づいて所定地点の位置情報を取得する。
コード情報生成部１６は、位置情報に対応する地図の表示に用いられるコード情報を生成する。
【００３７】
図９は、同実施形態による携帯端末２の最小構成を示す図である。同実施形態による携帯端末２は少なくとも地図情報表示部２４の構成を備えればよい。
地図情報表示部２４は、コード情報を読み込んで、当該コード情報に含まれる位置情報に基づく地図情報を表示する。
【００３８】
なお、同実施形態では、携帯端末２を地図表示装置の一例として説明したが、これに限らず、地図表示装置は据置型のコンピュータ等であってもよい。
【００３９】
上述したとおり、同実施形態における指令管制システム１００は、表示された地図上の所定地点の指定を受け付ける地点指定受付部１４と、コード生成指示に基づいて所定地点の位置情報を取得する位置情報取得部１５と、位置情報に対応する地図の表示に用いられるコード情報を生成するコード情報生成部１６と、を備える指令台端末１と、コード情報を読み込んで、当該コード情報に含まれる位置情報に基づく地図情報を表示する地図情報表示部２４と、を備える携帯端末２とを備える。
【００４０】
このような構成により、携帯端末２に手動で入力することなく、コード情報を用いて指令台端末１から携帯端末２に簡単に位置情報を受け渡すことができる。よって、ウィルス混入の恐れがなくセキュアに情報の受け渡しが可能である。また、指令台端末１は外部と通信接続する必要がないため、個人情報の流出を防止することができる。また、位置情報に対応する地図の表示に用いられるコード情報を生成しているため、携帯端末２において位置情報に対応する地図を表示することができる。つまり、指令管制システム１００の指令台端末１を外部との通信接続させないまま、公衆で利用されている機能拡張の早い地図情報を閲覧しつつ、迅速な指令を行うことができる。
【００４１】
また、コード情報生成部１６は、コード情報の送信先装置の地図情報表示機能において位置情報を基準とする所定範囲の地図情報を表示する際に用いるコード情報を生成する。このような構成により、指令台端末１と異なる地図情報表示機能を有する携帯端末２において災害点を示す地図情報を表示することができる。
【００４２】
（第２の実施形態）
次に、第２の実施形態について説明する。
以下、第１の実施形態と同様の構成には同じ符号を付してその説明を省略する。
【００４３】
図１０は、同実施形態による指令管制システム１００Ａの構成を示す図である。
図示するように、指令管制システム１００Ａは、指令台端末１Ａ（地図表示装置）と、携帯端末２と、通報端末３（コード情報生成装置）とを備える。指令管制システム１００Ａは、消防や警察等において通報者からの通報を受け付けるシステムである。
【００４４】
指令台端末１Ａは、消防や警察等の指令センタの指令台に設置され、通報者からの通報に基づいて事案情報を登録するコンピュータである。指令台端末１Ａは、個人情報の流出を防止するため、インターネット等の公衆通信網（外部）との通信接続が無い。また、指令台端末１Ａは、予めインストールされている地図ソフトを実行して地図情報を表示する。
【００４５】
通報端末３は、インターネット網等の公衆通信網（外部）と通信接続し、インターネットを介して通報者からの通報を受け付けるコンピュータである。例えば、通報端末３は、メールやウェブサイト等により通報に関する通報情報を受信する。通報情報は、通報の内容を示す情報であり、災害点の住所、対象者の氏名、年齢、性別、病歴、電話番号等の個人情報が含まれる。また、通報端末３は、インターネットを介して提供されている地図サービスを利用して地図情報を表示する。
【００４６】
図１１は、同実施形態による指令台端末１Ａのハードウェア構成図である。
この図が示すように指令台端末１Ａは、図２に示す第１の実施形態における指令台端末１の構成に加えてコードリーダ１０８を備える。コードリーダ１０８は、コード情報を読み込むスキャナである。コードリーダ１０８は、指令台端末１Ａに内蔵されていてもよいし、指令台端末１Ａに外部接続されるものであってもよい。
【００４７】
図１２は、同実施形態による指令台端末１Ａの機能ブロック図である。
この図が示すように指令台端末１Ａは、図３に示す第１の実施形態における指令台端末１の機能構成に加えて地図情報表示部１８を備える。
地図情報表示部１８は、コード情報を読み込んで、当該コード情報に含まれる位置情報に基づく地図情報を表示する。
【００４８】
図１３は、同実施形態による通報端末３のハードウェア構成図である。
この図が示すように通報端末３はＣＰＵ３０１、ＲＯＭ３０２、ＲＡＭ３０３、大容量記憶装置３０４、通信モジュール３０５、入力装置３０６、表示装置３０７等の各ハードウェアを備えたコンピュータである。入力装置３０６は、マウス、タッチパネル、キーボード等であり、これらを複数または全て備えていてもよい。表示装置３０７は、有機ＥＬディスプレイや液晶ディスプレイ等である。
【００４９】
図１４は、同実施形態による通報端末３の機能ブロック図である。
通報端末３は電源が投入されると起動し、予め記憶するプログラムを実行する。これにより通報端末３には、制御部３１、記憶部３２、入力部３３、通信部３４、地点指定受付部３５、位置情報取得部３６、コード情報生成部３７、出力部３８の機能構成を備える。
【００５０】
制御部３１は、通報端末３を統括して制御する。
記憶部３２は、種々の情報を記憶する。例えば、記憶部３２は、受信した通報情報を記憶する。
入力部３３は、コード生成指示等の入力を受け付ける。
通信部３４は、外部と通信接続する。
【００５１】
地点指定受付部３５は、表示された地図上の所定地点の指定を受け付ける。
位置情報取得部３６は、コード生成指示に基づいて所定地点の位置情報を取得する。
【００５２】
コード情報生成部３７は、位置情報に対応する地図の表示に用いられるコード情報を生成する。より具体的には、コード情報生成部３７は、コード情報の送信先装置の地図情報表示機能において位置情報を基準とする所定範囲の地図情報を表示する際に用いるコード情報を生成する。
出力部３８は、外部との通信接続の無い指令管制システム１００Ａに接続された指令台端末１Ａにコード情報を出力する。
【００５３】
続いて、同実施形態による指令管制システム１００Ａの動作について説明する。
まず、指令センタにおいて、通報端末３がインターネット網を介して通報者からの通報情報をメールやウェブサイト等により受信する。通報端末３は、受信した通報情報に含まれる災害点の住所に基づいて災害点の位置を示す地図情報を表示する。例えば、通報端末３は、インターネットを介して地図サービスに住所を入力して、災害点を基準とする所定範囲の地図情報を表示する。
【００５４】
ここで、指令台において出動指令を発するために指令台端末１Ａに事案情報を登録しなければならず、通報端末３が受信した通報情報を指令台端末１Ａに入力する必要がある。しかしながら、指令台端末１Ａと通報端末３とは通信接続していないため、通信による通報情報の受け渡しができない。また、指令台端末１Ａに通報情報を手動で入力するのは手間がかかる。よって、本実施形態における指令管制システム１００Ａでは、コード情報を用いて通報情報を通報端末３から指令台端末１Ａに出力する。
【００５５】
図１５は、同実施形態による通報端末３が表示する画面の一例を示す図である。
通報端末３は、操作者からのコード生成指示に基づいて、災害点の位置情報に対応する地図の表示に用いられるコード情報を生成して表示する。本例では、地図ＭＰ２の右上部にコード情報ＣＤ２が表示されている。地図ＭＰ２は、災害点を中心とした周辺の地図情報、つまり災害点を基準とする所定範囲の地図情報である。
【００５６】
なお、指令台端末１Ａの地図情報表示機能は予めインストールされた地図ソフトであるのに対し、通報端末３の地図情報表示機能はインターネットを介して提供される地図サービスである。つまり、指令台端末１Ａの地図情報表示機能と通報端末３の地図情報表示機能とは異なる。よって、通報端末３は、指令台端末１Ａの地図情報表示機能において位置情報を基準とする所定範囲の地図情報を表示する際に用いるコード情報を生成する。例えば位置情報は緯度及び経度である。また、通報端末３は、位置情報に加えて他の通報情報もコード情報に含める。
【００５７】
指令台端末１Ａは、通報端末３に表示されたコード情報ＣＤ２をコードリーダ１０８で読み込む。これにより、通信接続することなく通報端末３から指令台端末１Ａに通報情報を容易に出力することができる。指令台端末１Ａは、読み込んだコード情報に含まれる通報情報に基づいて事案情報を生成して登録する。また、指令台端末１Ａは、読み込んだコード情報に含まれる位置情報に基づく地図情報を表示する。例えば、指令台端末１Ａは、地図ソフトに位置情報を入力して、災害点を基準とする所定範囲の地図情報を表示する。
【００５８】
図１６は、同実施形態による指令台端末１Ａ及び通報端末３の処理フローを示す図である。
次に指令管制システム１００Ａの処理フローについて順を追って説明する。
まず通報端末３におけるコード情報の出力処理について説明する。
【００５９】
通報端末３の通信部３４は、インターネットを介して通報情報を受信する（ステップＳ３０１）。続いて、地点指定受付部３５が、表示された地図上の災害点の指定を受け付ける（ステップＳ３０２）。例えば、地点指定受付部３５は、受信した通報情報に含まれる住所に基づいて地図上における災害点を特定する。そして、地点指定受付部３５は、特定した災害点を示す地図情報を表示する。例えば、地点指定受付部３５は、地図サービスに災害点の住所を入力して、災害点を基準とする所定範囲の地図情報を表示する。
【００６０】
続いて、位置情報取得部３６は、コード生成指示を受け付けたか否かを判定する（ステップＳ３０３）。位置情報取得部３６は、コード生成指示を受け付けていない場合、ステップＳ３０３の処理を再度実行する。一方、位置情報取得部３６は、コード生成指示を受け付けた場合、災害点の位置情報を取得する（ステップＳ３０４）。例えば、位置情報取得部３６は、地図サービスから災害点の緯度経度を取得する。
【００６１】
コード情報生成部３７は、取得した位置情報及び通報情報を示すコード情報を生成する。（ステップＳ３０５）。例えば、コード情報生成部３７は、位置情報及び通報情報を示すテキスト情報をコードに変換する。その後、出力部３８は、コード情報生成部３７が生成したコード情報を表示する（ステップＳ３０６）。
【００６２】
続いて指令台端末１Ａにおけるコード情報の入力処理について説明する。
指令台端末１Ａの地図情報表示部１８は、通報端末３に表示されたコード情報を読み込む（ステップＳ４０１）。続いて、地図情報表示部１８は、読み込んだコード情報に含まれる位置情報に基づく地図情報を表示する（ステップＳ４０２）。例えば、地図情報表示部１８は、地図ソフトに位置情報を入力し、災害点を基準とする所定範囲の地図情報を表示する。また、制御部１１は、受信した通報情報に基づいて事案情報を生成して登録する。その後、処理を終了する。
【００６３】
なお、同実施形態では、指令台端末１Ａは通報端末３に表示されたコード情報を直接読み込んでいるが、これに限られない。例えば、通報端末３が指令台端末１Ａから離れた位置に設置されている場合には、指令台端末１Ａは通報端末３に表示されたコード情報を読み込むことができない。この場合には、指令台端末１Ａは、指令台端末１Ａの近傍に設置されているリモート端末からコード情報を読み込んでもよい。リモート端末は、通報端末３と通信接続されており、通報端末３に表示されている画面をリモートで表示するコンピュータである。
【００６４】
図１７は、同実施形態による指令台端末１Ａの最小構成を示す図である。同実施形態による指令台端末１Ａは少なくとも地図情報表示部１８の構成を備えればよい。
地図情報表示部１８は、コード情報を読み込んで、当該コード情報に含まれる位置情報に基づく地図情報を表示する。
【００６５】
図１８は、同実施形態による通報端末３の最小構成を示す図である。同実施形態による通報端末３は少なくとも地点指定受付部３５、位置情報取得部３６、コード情報生成部３７の構成を備えればよい。
地点指定受付部３５は、表示された地図上の所定地点の指定を受け付ける。
位置情報取得部３６は、コード生成指示に基づいて所定地点の位置情報を取得する。
コード情報生成部３７は、位置情報に対応する地図の表示に用いられるコード情報を生成する。
【００６６】
上述したとおり、同実施形態における指令管制システム１００Ａは、表示された地図上の所定地点の指定を受け付ける地点指定受付部３５と、コード生成指示に基づいて所定地点の位置情報を取得する位置情報取得部３６と、位置情報に対応する地図の表示に用いられるコード情報を生成するコード情報生成部３７と、を備える通報端末３と、コード情報を読み込んで、当該コード情報に含まれる位置情報に基づく地図情報を表示する地図情報表示部１８と、を備える指令台端末１Ａとを備える。
【００６７】
このような構成により、指令台端末１Ａに手動で入力することなく、コード情報を用いて通報端末３から指令台端末１Ａに簡単に位置情報を受け渡すことができる。よって、ウィルス混入の恐れがなくセキュアに情報の受け渡しが可能である。また、指令台端末１Ａは外部と通信接続する必要がないため、個人情報の流出を防止することができる。また、位置情報に対応する地図の表示に用いられるコード情報を生成しているため、指令台端末１Ａにおいて位置情報に対応する地図を表示することができる。つまり、指令管制システム１００Ａの指令台端末１Ａを外部との通信接続させないまま、公衆で利用されている機能拡張の早い地図情報を閲覧しつつ、迅速な指令を行うことができる。
【００６８】
また、コード情報生成部３７は、コード情報の送信先装置の地図情報表示機能において位置情報を基準とする所定範囲の地図情報を表示する際に用いるコード情報を生成する。このような構成により、通報端末３と異なる地図情報表示機能を有する指令台端末１Ａにおいて災害点を示す地図情報を表示することができる。
【００６９】
上述の指令台端末１，１Ａ、携帯端末２、通報端末３は内部に、コンピュータシステムを有している。そして、上述した指令台端末１，１Ａ、携帯端末２、通報端末３の処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００７０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００７１】
以上、本発明の実施形態について説明したが、本発明は、上記実施形態に限定されるものではなく、本発明の趣旨を逸脱しない範囲において種々の変更を加えることが可能である。
【００７２】
また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態や変形例に記載された要素であり、同様の効果を奏する要素同士を置換した構成も含まれる。
【符号の説明】
【００７３】
１，１Ａ・・・指令台端末
２・・・携帯端末
３・・・通報端末
１１・・・制御部
１２・・・記憶部
１３・・・入力部
１４・・・地点指定受付部
１５・・・位置情報取得部
１６・・・コード情報生成部
１７・・・出力部
１８・・・地図情報表示部
２１・・・制御部
２２・・・記憶部
２３・・・通信部
２４・・・地図情報表示部
３１・・・制御部
３２・・・記憶部
３３・・・入力部
３４・・・通信部
３５・・・地点指定受付部
３６・・・位置情報取得部
３７・・・コード情報生成部
３８・・・出力部
１００，１００Ａ・・・指令管制システム
【図１】
2019164533.tif 000003
【図２】
2019164533.tif 000004
【図３】
2019164533.tif 000005
【図４】
2019164533.tif 000006
【図５】
2019164533.tif 000007
【図６】
2019164533.tif 000008
【図７】
2019164533.tif 000009
【図８】
2019164533.tif 000010
【図９】
2019164533.tif 000011
【図１０】
2019164533.tif 000012
【図１１】
2019164533.tif 000013
【図１２】
2019164533.tif 000014
【図１３】
2019164533.tif 000015
【図１４】
2019164533.tif 000016
【図１５】
2019164533.tif 000017
【図１６】
2019164533.tif 000018
【図１７】
2019164533.tif 000019
【図１８】
2019164533.tif 000020